(57)【特許請求の範囲】
【請求項１】
移動通信端末用の１以上の基地局を備え、移動通信端末が公衆モードで使用されるときに当該移動通信端末の位置登録を行う通信制御装置において、
移動通信端末の位置登録を行った時に、当該移動通信端末に対応した特定の電話機の留守番電話機能の設定を変更するように指示する制御信号を送信する制御信号送信手段を備えること
を特徴とする通信制御装置。
【請求項２】
基地局を制御する基地局制御センタを備え、上記基地局制御センタから上記制御信号を送信することを特徴とする請求項１記載の通信制御装置。
【請求項３】
上記制御信号は、上記電話機の自動応答メッセージを変更するように指示する制御信号であることを特徴とする請求項１記載の通信制御装置。
【請求項４】
上記制御信号は、上記電話機にメッセージが録音されたら当該メッセージを移動通信端末へ転送するように、上記電話機の留守番電話機能の設定を変更するように指示する制御信号であることを特徴とする請求項１記載の通信制御装置。
【請求項５】
上記制御信号送信手段は、上記電話機の留守番電話機能の設定状態を変更したときに、留守番電話機能の設定状態を移動通信端末の表示装置に表示するように指示する制御信号を送信することを特徴とする請求項１記載の通信制御装置。
【請求項６】
移動通信端末用の１以上の基地局を備え、移動通信端末が公衆モードで使用されるときに当該移動通信端末の位置登録を行う通信制御装置において、
移動通信端末の位置登録の解除を行った時に、当該移動通信端末に対応した特定の電話機の留守番電話機能の設定を変更するように指示する制御信号を送信する制御信号送信手段を備えることを特徴とする通信制御装置。
【請求項７】
基地局を制御する基地局制御センタを備え、上記基地局制御センタから上記制御信号を送信することを特徴とする請求項６記載の通信制御装置。
【請求項８】
上記制御信号は、上記電話機の自動応答メッセージを変更するように指示する制御信号であることを特徴とする請求項６記載の通信制御装置。
【請求項９】
上記制御信号は、上記電話機にメッセージが録音されても当該メッセージを移動通信端末へ転送しないように、上記電話機の留守番電話機能の設定を変更するように指示する制御信号であることを特徴とする請求項６記載の通信制御装置。
【請求項１０】
上記制御信号送信手段は、上記電話機の留守番電話機能の設定状態を変更したときに、留守番電話機能の設定状態を移動通信端末の表示装置に表示するように指示する制御信号を送信することを特徴とする請求項６記載の通信制御装置。
【請求項１１】
１以上の基地局を備えた通信制御装置によって移動通信端末の位置登録を行った時に、当該移動通信端末に対応した特定の電話機の留守番電話機能の設定を変更するように指示する制御信号を通信制御装置から送信し、
上記制御信号に基づいて上記電話機の留守番電話機能の設定を変更することを特徴とする留守番電話機能の設定方法。
【請求項１２】
上記制御信号に基づいて上記電話機の留守番電話機能の設定を変更する際に、
上記電話機の自動応答メッセージを変更することを特徴とする請求項１１記載の留守番電話機能の設定方法。
【請求項１３】
上記制御信号に基づいて上記電話機の留守番電話機能の設定を変更する際に、
上記電話機にメッセージが録音されたら当該メッセージを移動通信端末へ転送するように、上記電話機の留守番電話機能の設定を変更することを特徴とする請求項１１記載の留守番電話機能の設定方法。
【請求項１４】
上記電話機の留守番電話機能の設定状態を、上記移動通信端末の表示装置に表示することを特徴とする請求項１１記載の留守番電話機能の設定方法。
【請求項１５】
１以上の基地局を備えた通信制御装置によって移動通信端末の位置登録の解除を行った時に、当該移動通信端末に対応した特定の電話機の留守番電話機能の設定を変更するように指示する制御信号を通信制御装置から送信し、
上記制御信号に基づいて上記電話機の留守番電話機能の設定を変更することを特徴とする留守番電話機能の設定方法。
【請求項１６】
上記制御信号に基づいて上記電話機の留守番電話機能の設定を変更する際に、
上記電話機の自動応答メッセージを変更することを特徴とする請求項１５記載の留守番電話機能の設定方法。
【請求項１７】
上記制御信号に基づいて上記電話機の留守番電話機能の設定を変更する際に、
上記電話機にメッセージが録音されても当該メッセージを移動通信端末へ転送しないように、上記電話機の留守番電話機能の設定を変更することを特徴とする請求項１５記載の留守番電話機能の設定方法。
【請求項１８】
上記電話機の留守番電話機能の設定状態を、上記移動通信端末の表示装置に表示することを特徴とする請求項１５記載の留守番電話機能の設定方法。
【発明の詳細な説明】
【０００１】
【発明の属する技術分野】
本発明は、移動通信端末用の１以上の基地局を備え、移動通信端末が公衆モードで使用されるときに当該移動通信端末の位置登録を行う通信制御装置に関するとともに、移動通信端末に対応した特定の電話機の留守番電話機能の設定方法に関する。
【０００２】
【従来の技術】
移動通信端末は、携帯可能な情報通信用の端末装置であり、具体的には、デジタルコードレス電話機やセルラー電話等のような携帯型電話機や、小型の携帯型パーソナルコンピュータ等が実用化されている。
【０００３】
このような移動通信端末には、公衆モードでの使用と、自営モードでの使用とを使い分けることが可能なものがある。
【０００４】
ここで、公衆モードとは、公衆用として設置された無線局である基地局を介して情報通信を行うモードのことであり、通常、外出先等において移動通信端末を独立して使用するときに用いられる。なお、通常、移動通信端末を公衆モードで使用する際には、基地局側の通信制御装置に対して移動通信端末の位置等に関する登録を予め行う必要があり、この登録は、一般に位置登録と呼ばれている。すなわち、移動通信端末が公衆モードで使用されるときには、基地局側の通信制御装置によって移動通信端末の位置登録が行われる。
【０００５】
一方、自営モードとは、家庭等に設置されている特定の電話機を親機として、この親機を介して情報通信を行うモードのことであり、通常、家庭等において特定の電話機の子機として移動通信端末を使用するときに用いられる。
【０００６】
【発明が解決しようとする課題】
ところで、通常、自営モード時に親機となる電話機の電話番号（以下、親機側電話番号と言う。）と、公衆モード用として移動通信端末に設定される電話番号（以下、端末側電話番号と言う。）とは異なっている。
【０００７】
したがって、移動通信端末が公衆モードで使用されているときには、端末側電話番号を知らない人は、親機側電話番号を知っていたとしても、移動通信端末の利用者に連絡を取ることができないこととなる。すなわち、親機側電話番号と端末側電話番号とが異なるために、移動通信端末の利用者は、せっかく移動通信端末を携帯していても、他者からの連絡を受け取ることができないことがある。
【０００８】
なお、親機となる電話機が、着信信号に対して自動的に応答する留守番電話機能として、他者からのメッセージを録音する留守録機能を備えているときには、移動通信端末の利用者は、録音されたメッセージとして他者からの連絡を受け取ることが可能である。しかし、このような留守録機能では、親機となる電話機に録音されたメッセージを移動通信端末の利用者が再生するまで、他者からのメッセージは、移動通信端末の利用者に伝わらないという難点がある。
【０００９】
また、親機となる電話機が留守番電話機能を備えているときには、親機となる電話機の自動応答メッセージに、端末側電話番号を知らせるメッセージを入れておくことも考えられる。しかし、親機となる電話機の留守番電話機能が設定されていても、移動通信端末が使用可能な状態であるとは限らない。そのため、親機となる電話機の自動応答メッセージに端末側電話番号を知らせるメッセージを入れておいても、移動通信端末側の使用状態によっては、自動応答メッセージが不適切なものとなってしまう。
【００１０】
本発明は、以上のような従来の実情に鑑みて提案されたものであり、移動通信端末の利用者が、当該移動通信端末の親機となる特定の電話機に電話をかけてきた人と、すみやかに連絡を取ることができるようにすることを目的としている。
【００１１】
【課題を解決するための手段】
上述の目的を達成するために完成された本発明に係る通信制御装置は、移動通信端末用の１以上の基地局を備え、移動通信端末が公衆モードで使用されるときに当該移動通信端末の位置登録を行う通信制御装置であって、移動通信端末の位置登録を行った時に、当該移動通信端末に対応した特定の電話機の留守番電話機能の設定を変更するように指示する制御信号を送信する制御信号送信手段を備えることを特徴とするものである。
【００１２】
ここで、上記制御信号は、例えば、上記電話機の自動応答メッセージを変更するように指示したり、或いは、例えば、上記電話機にメッセージが録音されたら当該メッセージを移動通信端末へ転送するように、上記電話機の留守番電話機能の設定を変更するように指示する。また、上記制御信号送信手段は、上記電話機の留守番電話機能の設定状態を変更したときに、留守番電話機能の設定状態を移動通信端末の表示装置に表示するように指示する制御信号も送信することが好ましい。
【００１３】
上記通信制御装置は、移動通信端末の位置登録時に、当該移動通信端末の親機となる特定の電話機の留守番電話機能の設定を変更するように指示する制御信号を送信する。したがって、この通信制御装置によれば、移動通信端末の位置登録がなされて公衆モードでの使用が可能な状態になったときには、移動通信端末の利用者が自ら意識して親機となる特定の電話機の留守番電話機能の設定を変更しなくても、親機となる特定の電話機の留守番電話機能の設定が自動的に変更される。
【００１４】
また、本発明に係る他の通信制御装置は、移動通信端末用の１以上の基地局を備え、移動通信端末が公衆モードで使用されるときに当該移動通信端末の位置登録を行う通信制御装置であって、移動通信端末の位置登録の解除を行った時に、当該移動通信端末に対応した特定の電話機の留守番電話機能の設定を変更するように指示する制御信号を送信する制御信号送信手段を備えることを特徴とするものである。
【００１５】
ここで、上記制御信号は、例えば、上記電話機の自動応答メッセージを変更するように指示したり、或いは、例えば、上記電話機にメッセージが録音されても当該メッセージを移動通信端末へ転送しないように、上記電話機の留守番電話機能の設定を変更するように指示する。また、上記制御信号送信手段は、上記電話機の留守番電話機能の設定状態を変更したときに、留守番電話機能の設定状態を移動通信端末の表示装置に表示するように指示する制御信号も送信することが好ましい。
【００１６】
上記通信制御装置は、移動通信端末の位置登録の解除時に、当該移動通信端末の親機となる特定の電話機の留守番電話機能の設定を変更するように指示する制御信号を送信する。したがって、この通信制御装置によれば、移動通信端末の位置登録の解除がなされて公衆モードでの使用が不可能な状態になったときには、移動通信端末の利用者が自ら意識して親機となる特定の電話機の留守番電話機能の設定を変更しなくても、親機となる特定の電話機の留守番電話機能の設定が自動的に変更される。
【００１７】
一方、本発明に係る留守番電話機能の設定方法は、１以上の基地局を備えた通信制御装置によって移動通信端末の位置登録を行った時に、当該移動通信端末に対応した特定の電話機の留守番電話機能の設定を変更するように指示する制御信号を通信制御装置から送信し、上記制御信号に基づいて上記電話機の留守番電話機能の設定を変更することを特徴とするものである。
【００１８】
ここで、制御信号に基づいて上記電話機の留守番電話機能の設定を変更する際には、例えば、上記電話機の自動応答メッセージを変更したり、或いは、例えば、上記電話機にメッセージが録音されたら当該メッセージを移動通信端末へ転送するように、上記電話機の留守番電話機能の設定を変更する。なお、このように留守番電話機能の設定を変更する際には、上記電話機の留守番電話機能の設定状態を、移動通信端末の表示装置に表示するようにすることが好ましい。
【００１９】
この留守番電話機能の設定方法によれば、移動通信端末の位置登録がなされて公衆モードでの使用が可能な状態になったときに、移動通信端末の利用者が自ら意識して親機となる特定の電話機の留守番電話機能の設定を変更しなくても、親機となる特定の電話機の留守番電話機能の設定が自動的に変更される。
【００２０】
また、本発明に係る他の留守番電話機能の設定方法は、１以上の基地局を備えた通信制御装置によって移動通信端末の位置登録の解除を行った時に、当該移動通信端末に対応した特定の電話機の留守番電話機能の設定を変更するように指示する制御信号を通信制御装置から送信し、上記制御信号に基づいて上記電話機の留守番電話機能の設定を変更することを特徴とするものである。
【００２１】
ここで、制御信号に基づいて上記電話機の留守番電話機能の設定を変更する際には、例えば、上記電話機の自動応答メッセージを変更したり、或いは、例えば、上記電話機にメッセージが録音されても当該メッセージを移動通信端末へ転送しないように、上記電話機の留守番電話機能の設定を変更する。なお、このように留守番電話機能の設定を変更する際には、上記電話機の留守番電話機能の設定状態を、移動通信端末の表示装置に表示するようにすることが好ましい。
【００２２】
この留守番電話機能の設定方法によれば、移動通信端末の位置登録の解除がなされて公衆モードでの使用が不可能な状態になったときに、移動通信端末の利用者が自ら意識して親機となる特定の電話機の留守番電話機能の設定を変更しなくても、親機となる特定の電話機の留守番電話機能の設定が自動的に変更される。
【００２３】
【発明の実施の形態】
以下、本発明を適用した具体的な実施の形態について、図面を参照しながら詳細に説明する。なお、本発明は以下の例に限定されるものではなく、本発明の要旨を逸脱しない範囲で、構成等を任意に変更可能であることは言うまでもない。
【００２４】
本実施の形態では、デジタルコードレス電話機に対応した通信制御装置を例に挙げて説明する。デジタルコードレス電話機は、公衆モードで使用することができ、しかも、基地局としての機能を備えた特定の電話機を親機として、自営モードで使用することも可能な移動通信端末である。なお、以下の説明では、デジタルコードレス電話機のことを移動局と称し、移動局を自営モードで使用するときに親機となる特定の電話機のことを単に親機と称する。
【００２５】
ここで、親機は、着信信号に対して自動的に応答する留守番電話機能を備えており、しかも、押しボタンダイヤル用信号であるＤＴＭＦ（dual tone multi-frequency ）信号を用いることにより、外部の電話機等から留守番電話機能に関する設定の遠隔操作が可能なものを使用する。すなわち、この親機は、例えば、ＤＴＭＦ信号による遠隔操作によって自動応答メッセージを変更して、移動局に設定された電話番号である端末側電話番号を知らせるメッセージを告げるようにしたり、端末側電話番号を知らせるメッセージを告げないようにしたりすることが可能である。
【００２６】
ただし、従来、このようなＤＴＭＦ信号による遠隔操作は、全て手動で行われるものであり、利用者が意識して自ら行わなければならなかった。そして、このようなＤＴＭＦ信号による留守番電話機能の設定変更に関わる操作は、非常に煩雑であり、利用者にとって大きな手間となっていた。しかも、従来、留守番電話機能の設定変更は、利用者が意識して自ら行わなければならなかったため、利用者が設定の変更を怠ると、自動応答メッセージが不適切なものとなってしまう等の問題が生じていた。そこで、本実施の形態では、このような問題の解決を図っている。
【００２７】
まず、本実施の形態に係る通信制御装置について説明する。
【００２８】
図１に示すように、通信制御装置１は、公衆網との接続を行うＰＳＴＮ交換機に接続された基地局制御センタ２と、基地局制御センタ２に接続されたメモリ３と、ＩＳＤＮ回線を介して基地局制御センタ２に接続されたＩＳＤＮインターフェース制御装置４と、ＩＳＤＮインターフェース制御装置４に接続された基地局５とから構成される。
【００２９】
上記基地局制御センタ２は、基地局５の動作等を制御する。そして、この基地局制御センタ２に接続されたメモリ３には、基地局５の動作を制御するために必要な情報等が保存されている。具体的には、メモリ３には、基地局５の設置情報、基地局５に登録された移動局の識別データ、移動局の位置登録に関する情報、親機の留守番電話機能の設定に関するデータ（以下、留守録制御データと言う。）等が保存されている。
【００３０】
一方、ＩＳＤＮインターフェース制御装置４は、基地局制御センタ２と基地局５とをＩＳＤＮ回線で結ぶためのものであり、基地局制御センタ２と基地局５との間のＩＳＤＮ接続に関する制御を行う。そして、ＩＳＤＮインターフェース制御装置４を介して基地局制御センタ２に接続された基地局５は、移動局との間で信号の送受信を行うものであり、移動局に対応した無線局として機能する。
【００３１】
なお、図１では、基地局５を１つだけ図示しているが、通常は、１つのＩＳＤＮインターフェース制御装置４に、複数の基地局５が接続される。すなわち、通常は、１つのＩＳＤＮインターフェース制御装置４と、そのＩＳＤＮインターフェース制御装置４に接続された複数の基地局５とにより、基地局ブロック６が構成される。また、図１では、基地局ブロック６を１つだけ図示しているが、通常は、１つの基地局制御センタ２に、複数の基地局ブロック６が接続される。すなわち、通常は、１つの基地局制御センタ２によって、複数の基地局ブロック６の各基地局５が制御される。
【００３２】
上記基地局５は、この基地局５に関わる様々な処理を制御する制御部７と、この基地局５の動作に必要な情報等が保存されるメモリ８と、ＡＤＰＣＭ（adaptive differential pulse code modulation ）符号化を行うＡＤＰＣＭ符号化部９と、ＡＤＰＣＭ符号化された信号の復号を行うＡＤＰＣＭ復号部１０と、プロトコル処理等を行うプロトコル処理部１１と、高周波変調等を行うＲＦユニット１２と、信号の送受信用のアンテナ１３とを備えている。
【００３３】
上記基地局５において、制御部７は、中央演算処理装置（ＣＰＵ）を備えており、移動局からの信号や、基地局制御センタ２からの信号等に基づいて、この基地局５に関わる様々な処理を制御する。具体的には、制御部７は、例えば、移動局の位置登録や、送受信された信号のプロトコル処理に関する制御等を行う。ここで、制御部７は、必要に応じて、メモリ８に保存されているデータを参照したり、メモリ８にデータを書き込んだりする。ここで、メモリ８は、この基地局５の動作に必要な情報等を保存するものであり、具体的には、基地局５の識別データや、プロトコル処理等を行うのに必要なプログラム等が保存されている。
【００３４】
また、上記基地局５において、ＡＤＰＣＭ符号化部９は、ＩＳＤＮインターフェース制御装置４から送信されたデジタル信号に対してＡＤＰＣＭ符号化を施し、このＡＤＰＣＭ符号化が施された信号をプロトコル処理部１１に送出する。プロトコル処理部１１は、制御部７によって制御され、ＡＤＰＣＭ符号化部９からの信号に対して所定のプロトコル処理を施し、このプロトコル処理を施した信号をＲＦユニット１２に送出する。ＲＦユニット１２は、プロトコル処理部１１からの信号に対して高周波変調を施し、この高周波変調を施した信号をアンテナ１３に送出する。そして、アンテナ１３は、ＲＦユニット１２からの信号を外部へ、すなわち移動局へ送信する。
【００３５】
また、アンテナ１３は、高周波変調が施された移動局からの信号を受信し、受信した信号をＲＦユニット１２に送出する。ＲＦユニット１２は、アンテナ１３からの信号を復調し、この復調した信号をプロトコル処理部１１に送出する。プロトコル処理部１１は、制御部７によって制御され、ＲＦユニット１２からの信号に対して所定のプロトコル処理を施し、このプロトコル処理を施した信号をＡＤＰＣＭ復号部１０に送出する。ここで、プロトコル処理部１１からの信号は、ＡＤＰＣＭ符号化が施されている。そこで、ＡＤＰＣＭ復号部１０において、ＡＤＰＣＭ符号化されている信号を復号する。すなわち、ＡＤＰＣＭ復号部１０は、プロトコル処理部１１からの信号を復号し、この復号した信号をＩＳＤＮインターフェース制御装置４に送信する。
【００３６】
以上のような構成を有する基地局５は、上述したように、ＩＳＤＮ回線に対するインターフェースを制御するＩＳＤＮインターフェース制御装置４に接続されている。すなわち、ＩＳＤＮインターフェース制御装置４から、音声データ等の信号が基地局５のＡＤＰＣＭ符号化部９に送信され、また、基地局５のＡＤＰＣＭ復号部１０から、音声データ等の信号がＩＳＤＮインターフェース制御装置４に送信される。また、基地局５の制御部７もＩＳＤＮインターフェース制御装置４に接続されており、基地局５の制御部７と、ＩＳＤＮインターフェース制御装置４との間で、制御信号等の送受信が行われる。
【００３７】
つぎに、以上のような通信制御装置１による信号の送受信について説明する。
【００３８】
上記通信制御装置１から移動局に音声信号を送信する際は、先ず、ＰＳＴＮ交換機からのアナログ音声信号が、基地局制御センタ２によってデジタル信号に変換され、制御信号と共にパケット化されて、ＩＳＤＮ回線を通じてＩＳＤＮインターフェース制御装置４に送信される。そして、ＩＳＤＮインターフェース制御装置４に送られた信号から、音声信号だけがＩＳＤＮインターフェース制御装置４によって抽出され、当該音声信号が、基地局５のＡＤＰＣＭ符号化部９に送信される。
【００３９】
そして、基地局５のＡＤＰＣＭ符号化部９に送信された音声信号は、先ず、ＡＤＰＣＭ符号化部９によってＡＤＰＣＭ符号化され、次に、このＡＤＰＣＭ符号化された信号が、プロトコル処理部１１によってプロトコル処理される。具体的には、ＡＤＰＣＭ符号化された信号は、プロトコル処理部１１により、Ｂチャネルの送信データとしてＩＱデータ化される。その後、このＩＱデータ化された信号が、ＲＦユニット１２によって高周波変調された上で、アンテナ１３から移動局へと送信される。
【００４０】
一方、上記通信制御装置１によって移動局からの音声信号を受信する際は、先ず、移動局からの高周波変調された音声信号が、アンテナ１３によって受信され、この音声信号がＲＦユニット１２によって復調される。次に、復調されてベースバンドデータとなった信号が、プロトコル処理部１１によってプロトコル処理され、これにより、Ｂチャネルの受信データが取り出される。ここで、このＢチャネルの受信データは、ＡＤＰＣＭ符号化された信号として取り出される。その後、ＡＤＰＣＭ符号化された信号として取り出されたＢチャネルの受信データが、ＡＤＰＣＭ復号部１０で復号され、次に、この復号された音声信号が、インターフェース制御装置４に送信される。
【００４１】
そして、インターフェース制御装置４に送信された音声信号は、ＩＳＤＮインターフェース制御装置４によって制御信号と共にパケット化された上で、ＩＳＤＮ回線を通じて基地局制御センタ２に送信される。そして、基地局制御センタ２に送られた信号から音声信号だけが基地局制御センタ２によって抽出され、当該音声信号が基地局制御センタ２によってアナログ音声信号に変換された上で、ＰＳＴＮ交換機に送出される。
【００４２】
また、上記通信制御装置１は、必要に応じて、基地局制御センタ２に接続されたメモリ３に保存されているデータを移動局に送信する。すなわち、メモリ３に保存されているデータは、必要に応じて、基地局制御センタ２からＩＳＤＮ回線を通じてＩＳＤＮインターフェース制御装置４に送られる。そして、このデータは、ＩＳＤＮインターフェース制御装置４から基地局５の制御部７に送られ、制御部７で処理された後、プロトコル処理部１１に送られる。そして、このデータは、プロトコル処理部１１によってプロトコル処理され、Ｄチャネルの送信データとしてＩＱデータ化され、更に、ＲＦユニット１２によって高周波変調された上で、アンテナ１３から送信される。
【００４３】
同様に、上記通信制御装置１は、必要に応じて、基地局５の内部のメモリ８に保存されているデータを移動局に送信する。すなわち、メモリ８に保存されているデータは、必要に応じて、制御部７に読み込まれて処理された後、プロトコル処理部１１に送られる。そして、このデータは、プロトコル処理部１１によってプロトコル処理され、Ｄチャネルの送信データとしてＩＱデータ化され、更に、ＲＦユニット１２によって高周波変調された上で、アンテナ１３から送信される。
【００４４】
また、上記通信制御装置１は、移動局からの制御信号を受信し、その制御信号に対応した処理を行う。
【００４５】
移動局からの制御信号を受信する際は、先ず、高周波変調が施された移動局からの制御信号が、アンテナ１３によって受信され、この制御信号がＲＦユニット１２によって復調される。次に、復調されてベースバンドデータとなった信号が、プロトコル処理部１１によってプロトコル処理され、これによってＤチャネルの制御データが取り出され、当該制御データが制御部７に入力される。そして、制御部７によって当該制御データの内容が読み取られ、当該制御データに対応した処理を行うように制御部７から指示が出される。
【００４６】
具体的には、例えば、位置登録を行うように指示する制御信号を移動局から受信したら、当該移動局の位置登録をするように、制御部７から指示が出される。すなわち、この通信制御装置１は、位置登録を行うように指示する制御信号を移動局から受信したとき、基地局５の制御部７からの指示に基づいて、当該移動局の位置登録を行う。このとき、移動局の位置登録に関する情報は、基地局制御センタ２に接続されたメモリ３に登録される。
【００４７】
また、例えば、位置登録の解除を行うように指示する制御信号を移動局から受信したら、当該移動局の位置登録を解除するように、制御部７から指示が出される。すなわち、この通信制御装置１は、位置登録の解除を行うように指示する制御信号を移動局から受信したとき、基地局５の制御部７からの指示に基づいて、当該移動局の位置登録の解除を行う。ここで、移動局の位置登録に関する情報は、基地局制御センタ２に接続されたメモリ３に登録されている。したがって、移動局の位置登録を解除する際には、基地局制御センタ２に接続されたメモリ３の内容を書き換えて、当該移動局の位置登録を解除する。
【００４８】
そして、特に本実施の形態に係る通信制御装置１は、移動局の位置登録を行った時に、基地局制御センタ２に接続されたメモリ３から留守録制御データを読み出し、この留守録制御データに基づいて、位置登録を行った移動局に対応した親機の留守番電話機能の設定を変更するように指示する制御信号を、基地局制御センタ２から送信する。同様に、上記通信制御装置１は、移動局の位置登録の解除を行った時に、基地局制御センタ２に接続されたメモリ３から留守録制御データを読み出し、この留守録制御データに基づいて、位置登録の解除を行った移動局に対応した親機の留守番電話機能の設定を変更するように指示する制御信号を、基地局制御センタ２から送信する。すなわち、上記通信制御装置１では、基地局制御センタ２が、親機の留守番電話機能の設定を変更するように指示する制御信号を送信する制御信号送信手段として機能する。
【００４９】
また、上記通信制御装置１の基地局制御センタ２は、上述のように親機の留守番電話機能の設定状態の変更がなされた時に、その親機に対応した移動局の表示装置に、親機の留守番電話機能の設定状態を表示するように指示する制御信号を送信する。このとき、親機の留守番電話機能の設定状態を表示するように指示するために必要なデータは、基地局制御センタ２に接続されたメモリ３から読み出される。
【００５０】
つぎに、上記通信制御装置１を介して公衆モードで通信することが可能な移動局について説明する。
【００５１】
移動局は、図２に示すように、この移動局に利用者がデータを入力するための入力部２１と、この移動局に関わる様々な処理を制御する制御部２２と、この移動局の動作に必要な情報等が保存されるメモリ２３と、各種情報を表示する表示部２４と、音声入力用のマイク２５と、アナログ信号をデジタル信号に変換するＡ／Ｄコンバータ２６と、ＡＤＰＣＭ符号化を行うＡＤＰＣＭ符号化部２７と、プロトコル処理等を行うプロトコル処理部２８と、高周波変調等を行うＲＦユニット２９と、信号の送受信用のアンテナ３０と、ＡＤＰＣＭ符号化された信号の復号を行うＡＤＰＣＭ復号部３１と、デジタル信号をアナログ信号に変換するＤ／Ａコンバータ３２と、音声出力用のレシーバ３３とを備えている。
【００５２】
上記移動局において、入力部２１は、利用者からのデータの入力を受け付けるためのものであり、数字キーや操作キー等の複数のキーを備えている。そして、入力部２１のキーが押下されると、当該キーに登録された数字や各種操作を指示するデータ等が制御部２２に入力される。すなわち、利用者が電話をかけるときや電話を受けるとき等には、この入力部２１のキーが押下され、押下されたキーに応じた信号が制御部２２に送出される。
【００５３】
制御部２２は、中央演算処理装置（ＣＰＵ）を備えており、入力部２１から入力された信号や、外部から送信された信号等に基づいて、この移動局に関わる様々な処理を制御する。具体的には、制御部２２は、例えば、外部から電話がかかってきたときに呼び出し音を鳴動させたり、外部に電話をかけるときに相手先の電話番号を送信したり、公衆モードで使用するときに通信制御装置に対する位置登録を行ったり、公衆モードでの使用をやめるときに通信制御装置に対する位置登録の解除を行ったりする。ここで、制御部２２は、必要に応じて、メモリ２３に保存されているデータを参照したり、メモリ２３にデータを書き込んだりする。
【００５４】
メモリ２３は、移動局の動作に必要な情報等が保存されるものであり、具体的には、移動局の識別データ、親機の識別データ等が保存されている。また、このメモリ２３は、利用者が任意の電話番号を登録したりできるように、書き換え可能な領域も有している。
【００５５】
一方、表示部２４は、各種情報を表示するものであり、液晶表示（ＬＣＤ：liquid crystal display）を行う表示装置を備えている。ここで、表示装置は、この移動局に関する情報を表示するだけでなく、後述するように、親機の留守番電話機能の設定状態を表示する機能も備えている。
【００５６】
また、上記移動局において、マイク２５は、音声を入力するためのものであり、入力された音声をアナログ信号に変換して、このアナログ信号をＡ／Ｄコンバータ２６に送出する。Ａ／Ｄコンバータ２６は、マイク２５からのアナログ信号をデジタル信号に変換して、このデジタル信号をＡＤＰＣＭ符号化部２７に送出する。ＡＤＰＣＭ符号化部２７は、Ａ／Ｄコンバータ２６からのデジタル信号に対してＡＤＰＣＭ符号化を施し、ＡＤＰＣＭ符号化を施した信号をプロトコル処理部２８に送出する。プロトコル処理部２８は、ＡＤＰＣＭ符号化部からの信号に対して所定のプロトコル処理を施し、プロトコル処理を施した信号をＲＦユニット２９に送出する。ＲＦユニット２９は、プロトコル処理部２８からの信号に対して高周波変調を施し、高周波変調を施した信号をアンテナ３０に送出する。そして、アンテナ３０は、ＲＦユニット２９からの信号を外部へ、すなわち基地局５や親機へ送信する。
【００５７】
また、上記移動局において、アンテナ３０は、外部から、すなわち基地局５や親機から、高周波変調が施された信号を受信し、受信した信号をＲＦユニット２９に送出する。ＲＦユニット２９は、アンテナ３０からの信号を復調し、復調した信号をプロトコル処理部２８に送出する。プロトコル処理部２８は、ＲＦユニット２９からの信号に対して所定のプロトコル処理を施し、プロトコル処理を施した信号をＡＤＰＣＭ復号部３１に送出する。ここで、プロトコル処理部２８からの信号は、ＡＤＰＣＭ符号化がなされているので、ＡＤＰＣＭ復号部３１において、このＡＤＰＣＭ符号化されている信号を復号する。すなわち、ＡＤＰＣＭ復号部３１は、プロトコル処理部２８からの信号を復号し、復号した信号をＤ／Ａコンバータ３２に送出する。Ｄ／Ａコンバータ３２は、ＡＤＰＣＭ復号部３１からの信号をアナログ信号に変換して、このアナログ信号をレシーバ３３に送出する。そして、レシーバ３３は、音声を出力するためのものであり、Ｄ／Ａコンバータ３２からのアナログ信号を音声に変換して出力する。
【００５８】
つぎに、以上のような移動局による信号の送受信について説明する。
【００５９】
上記移動局から音声信号を送信する際は、先ず、マイク２５に入力された音声が、マイク２５によってアナログ信号に変換され、次に、このアナログ信号が、Ａ／Ｄコンバータ２６によってデジタル信号に変換される。その後、このデジタル信号が、ＡＤＰＣＭ符号化部２７によってＡＤＰＣＭ符号化され、次に、このＡＤＰＣＭ符号化された信号が、プロトコル処理部２８によってプロトコル処理される。具体的には、プロトコル処理部２８により、Ｂチャネルの送信データとしてＩＱデータ化される。その後、このＩＱデータ化された信号が、ＲＦユニット２９によって高周波変調された上で、アンテナ３０から送信される。ここで、通信制御装置１によって移動局の位置登録が行われており、この移動局が公衆モードで使用可能となっているときには、移動局からの音声信号は、基地局５に送信される。また、位置登録が行われておらず、自営モードで使用するようになっているときには、移動局からの音声信号は親機に送信される。
【００６０】
一方、上記移動局によって音声信号を受信する際は、先ず、高周波変調が施された親機や基地局５からの信号が、アンテナ３０によって受信され、この信号がＲＦユニット２９によって復調される。次に、復調されてベースバンドデータとなった信号が、プロトコル処理部２８によってプロトコル処理され、これにより、Ｂチャネルの受信データが取り出される。ここで、このＢチャネルの受信データは、ＡＤＰＣＭ符号化された信号として取り出される。その後、ＡＤＰＣＭ符号化された信号として取り出されたＢチャネルの受信データが、ＡＤＰＣＭ復号部３１で復号され、次に、この復号された信号が、Ｄ／Ａコンバータ３２によってアナログ信号に変換される。そして、このアナログ信号が、レシーバ３３によって音声に変換されて出力される。ここで、通信制御装置１によって位置登録が行われており、この移動局が公衆モードで使用可能となっているときには、移動局への音声信号は、基地局５から送信される。また、位置登録が行われておらず、自営モードで使用するようになっているときには、移動局への音声信号は親機から送信される。
【００６１】
また、上記移動局から制御信号を送信する際は、先ず、送信対象のデータが制御部２２に送られ、当該データが制御部２２で処理される。ここで、送信対象のデータとは、入力部２１から入力されたデータや、メモリ２３に書き込まれているデータ等である。なお、メモリ２３に書き込まれているデータとは、上述したように、この移動局の識別データや、親機の識別データ等である。次に、制御部２２で処理されたデータがプロトコル処理部２８に送られ、プロトコル処理部２８によってプロトコル処理され、Ｄチャネルの送信データとしてＩＱデータ化される。その後、このＩＱデータ化された信号が、ＲＦユニット２９によって高周波変調された上で、アンテナ３０から送信される。
【００６２】
つぎに、公衆モードで使用するために、上述のような移動局の位置登録を行ったときの動作について、図３乃至図４に示すフローチャートを用いて詳細に説明する。
【００６３】
位置登録がなされていない状態のとき、図３に示すように、ステップＳ１として、移動局の入力部２１に設けられた位置登録キーが押下されると、この移動局を通信制御装置１に位置登録するためのデータが、Ｄチャネルの送信データとして移動局から送出される。なお、ここでは、位置登録がなされていない状態のときに、入力部２１に設けられた位置登録キーが押下された場合に、移動局を通信制御装置１に対して位置登録するものとしているが、位置登録は、自動的に行われるようにしてもよい。すなわち、例えば、親機と移動局との距離が離れて、親機と移動局との電波の送受信状態が悪くなったときに、移動局から自動的に、移動局を位置登録するためのデータが、Ｄチャネルの送信データとして送信され、移動局のモードが自動的に公衆モードに切り替わるようにしてもよい。
【００６４】
次に、ステップＳ２において、移動局から送出されたＤチャネルの送信データに基づいて、通信制御装置１は、移動局の位置登録を行う。このとき、移動局の位置登録に関する情報は、基地局制御センタ２に接続されたメモリ３に登録される。
【００６５】
次に、ステップＳ３において、基地局制御センタ２は、移動局の表示部２４の表示を制御する制御信号を、基地局５を介して移動局に送信する。ここで、この制御信号は、親機の留守番電話機能の設定を変更中であることを知らせるメッセージを、移動局の表示部２４に表示するように指示するものである。これにより、ステップＳ４において、移動局の表示部２４に、親機の留守番電話機能の設定を変更中であることを知らせるメッセージが表示される。
【００６６】
次に、ステップＳ５において、基地局制御センタ２は、親機に対して電話をかけた回数を記録しておくパラメータであるパラメータｎに０を設定し、その後、ステップＳ６において、基地局制御センタ２は、親機に対して自動的に電話をかける。すなわち、ステップＳ６において、基地局制御センタ２に接続されたメモリ３から親機の電話番号が読み出され、当該電話番号が自動発信される。
【００６７】
次に、ステップＳ７において、基地局制御センタ２は、親機の留守番電話機能が応答したかを判断する。そして、親機の留守番電話機能が応答したならば、ステップＳ８に進み、親機の留守番電話機能が応答していなければ、図４のステップＳ１４に進む。
【００６８】
ステップＳ８において、基地局制御センタ２は、親機の留守番電話機能の設定変更を行うのに必要な暗証番号を送出する。すなわち、ステップＳ８において、基地局制御センタ２に接続されたメモリ３から親機の留守番電話機能の設定変更を行うのに必要な暗証番号が読み出され、当該暗証番号がＤＴＭＦ信号として自動発信される。なお、このような暗証番号が親機に設定されていないときには、このステップＳ８における暗証番号の送信が不要であることは言うまでもない。
【００６９】
次に、ステップＳ９において、基地局制御センタ２は、親機の留守番電話機能の設定変更を指示する制御信号を送信する。すなわち、ステップＳ９において、基地局制御センタ２に接続されたメモリ３から留守録制御データが読み出され、当該留守録制御データがＤＴＭＦ信号として自動発信される。
【００７０】
このステップＳ９において、基地局制御センタ２は、例えば、親機の留守番電話機能による自動応答メッセージが移動局の使用状態に応じた適切なものとなるように、親機の自動応答メッセージを変更するように指示する制御信号を送信する。具体的には、例えば、移動局が公衆モードで使用可能となったので、予め設定されていた「ただいま留守にしております。御用件、御名前、御電話番号をお入れ下さい。」という自動応答メッセージを、「ただいま留守にしております。お急ぎの方は、携帯電話番号×××−×××−××××におかけ下さい。お急ぎでない方は、この留守番電話にメッセージをお入れ下さい。」という自動応答メッセージに切り換えるように指示する制御信号を送信する。
【００７１】
或いは、このステップＳ９において、基地局制御センタ２は、例えば、親機にメッセージが録音されたら当該メッセージを移動局へ転送するように、親機の留守番電話機能の設定変更を指示する制御信号を送信する。これにより、親機の留守番電話機能の設定が変更され、その結果、親機に他者からのメッセージが録音されたら、親機から移動局に自動的に電話がかけられ、移動局の利用者に、メッセージが録音された旨が知らされるようになる。そして、親機の留守番電話機能はＤＴＭＦ信号による遠隔操作が可能なので、移動局の利用者は、メッセージが録音された旨が親機から知らされたときに、当該メッセージを再生するように親機に対してＤＴＭＦ信号を送出することにより、当該メッセージをすみやかに聞くことができる。
【００７２】
なお、親機の留守番電話機能が、外部からかかってきた電話そのものを移動局に転送するような機能を備えているときには、このステップＳ９において、外部からかかってきた電話そのものを移動局に直接転送するように親機の留守番電話機能の設定変更を指示する制御信号を送信するようにしてもよい。このときは、外部からの電話が、直接、移動局に転送されるようになるため、親機に電話をかけた人は、メッセージを残したりするような必要がなくなり、直接、移動局の利用者と通話することが可能となる。
【００７３】
そして、以上のように親機の留守番電話機能の設定の変更がなされたら、ステップＳ１０に進む。ステップＳ１０において、基地局制御センタ２は、親機との電話を切り、次に、ステップＳ１１において、基地局制御センタ２は、基地局５を介して移動局を呼び出し、基地局５と移動局との間でリンクを確立する。そして、リンクが確立したら、ステップＳ１２において、基地局制御センタ２は、移動局の表示部２４の表示を制御する制御信号を、基地局５を介して移動局に送信する。ここで、この制御信号は、変更された親機の留守番電話機能の設定状態を、移動局の表示部２４に表示するように指示するものである。これにより、ステップＳ１３において、移動局の表示部２４に、親機の留守番電話機能の設定状態を示すメッセージが表示される。
【００７４】
具体的には、親機の自動応答メッセージを、移動局の電話番号を知らせるよう変更したときには、ステップＳ１３において、移動局の表示部２４に、移動局の電話番号を案内中であることを知らせるメッセージを表示する。また、親機の留守番電話機能の設定を、親機にメッセージが録音されたら当該メッセージを移動局へ転送するように変更したときには、ステップＳ１３において、移動局の表示部２４に、親機にメッセージが録音されたら当該メッセージが移動局へ転送されるようになっていることを知らせるメッセージを表示する。
【００７５】
一方、上述したように、ステップＳ７において親機の留守番電話機能が応答しなかったときは、図４のステップＳ１４に進む。
【００７６】
ステップＳ１４において、基地局制御センタ２は、パラメータｎが０であるかを判断する。そして、パラメータｎが０ならば、ステップＳ１５に進み、このステップＳ１５において、パラメータｎに１を設定し、その後、ステップＳ２２に進む。
【００７７】
また、ステップＳ１４において、パラメータｎが０でないならば、ステップＳ１６に進み、このステップＳ１６において、基地局制御センタ２は、パラメータｎに１を加算し、次に、ステップＳ１７において、基地局制御センタ２は、パラメータｎが所定の値に達しているかを判断する。そして、パラメータｎが所定の値に達しているならば、ステップＳ１８に進み、パラメータｎが所定の値に達していないならば、ステップＳ２０に進む。ここで、所定の値は、親機に電話をかけ直す回数を示しており、例えば、５程度に設定しておく。
【００７８】
ステップＳ１８において、基地局制御センタ２は、パラメータｎに０を設定し、次に、ステップＳ１９において、基地局制御センタ２は、基地局５を介して移動局を呼び出し、基地局５と移動局との間でリンクを確立する。そして、リンクが確立したら、ステップＳ２０において、基地局制御センタ２は、移動局の表示部２４の表示を制御する制御信号を、基地局５を介して移動局に送信する。ここで、この制御信号は、親機の留守番電話機能の設定変更に失敗したことを知らせるメッセージを、移動局の表示部２４に表示するように指示するものである。これにより、ステップＳ２１において、移動局の表示部２４に、親機の留守番電話機能の設定変更に失敗したことを知らせるメッセージが表示される。そして、このときは、親機の留守番電話機能の設定変更がなされないまま、ここで処理を終了する。
【００７９】
一方、ステップＳ２２において、基地局制御センタ２は、所定の時間を測定するタイマーを起動し、次に、ステップＳ２３において、基地局制御センタ２は、所定の時間が経過したかを繰り返し判断する。ここで、所定の時間は、改めて親機に電話をかけるまでの時間のことであり、例えば、３分程度に設定しておく。そして、所定の時間が経過し、タイムアウトしたならば、図３のステップＳ６に戻って、上述の処理を再度試みる。
【００８０】
以上のようなステップにより、移動局の位置登録に伴って、親機の留守番電話機能の設定状態が変更される。
【００８１】
つぎに、公衆モードでの使用をやめるために、移動局の位置登録を解除するときの動作について、図５乃至図６に示すフローチャートを用いて詳細に説明する。
【００８２】
位置登録がなされている状態のときに、図５に示すように、ステップＴ１として、入力部２１に設けられた位置登録キーが押下されると、この移動局の位置登録を解除するためのデータが、Ｄチャネルの送信データとして送出される。なお、ここでは、位置登録がなされている状態のときに入力部２１に設けられた位置登録キーが押下された場合に、移動局の位置登録を解除するものとしているが、移動局の位置登録の解除は、自動的に行われるようにしてもよい。すなわち、例えば、親機と移動局との距離が近づいて、親機と移動局との電波の送受信状態が良くなったときに、移動局から自動的に、移動局の位置登録を解除するためのデータが、Ｄチャネルの送信データとして送信され、自動的に自営モードに切り替わるようにしてもよい。
【００８３】
次に、ステップＴ２において、移動局から送出されたＤチャネルの送信データに基づいて、通信制御装置１は、移動局の位置登録を解除する。ここで、移動局の位置登録に関する情報は、基地局制御センタ２に接続されたメモリ３に登録されている。したがって、移動局の位置登録を解除する際には、基地局制御センタ２に接続されたメモリ３の内容を書き換えて、当該移動局の位置登録を解除する。
【００８４】
次に、ステップＴ３において、基地局制御センタ２は、移動局の表示部２４の表示を制御する制御信号を、基地局５を介して移動局に送信する。ここで、この制御信号は、親機の留守番電話機能の設定を変更中であることを知らせるメッセージを、移動局の表示部２４に表示するように指示するものである。これにより、ステップＴ４において、移動局の表示部２４に、親機の留守番電話機能の設定を変更中であることを知らせるメッセージが表示される。
【００８５】
次に、ステップＴ５において、基地局制御センタ２は、親機に対して電話をかけた回数を記録しておくパラメータであるパラメータｎに０を設定し、その後、ステップＴ６において、基地局制御センタ２は、親機に対して自動的に電話をかける。すなわち、ステップＴ６において、基地局制御センタに接続されたメモリ３から親機の電話番号が読み出され、当該電話番号が自動発信される。
【００８６】
次に、ステップＴ７において、基地局制御センタ２は、親機の留守番電話機能が応答したかを判断する。そして、親機の留守番電話機能が応答したら、ステップＴ８に進み、親機の留守番電話機能が応答しなければ、図６のステップＴ１４に進む。
【００８７】
ステップＴ８において、基地局制御センタは、親機の留守番電話機能の設定変更を行うのに必要な暗証番号を送信する。すなわち、ステップＴ８において、基地局制御センタ２に接続されたメモリ３から親機の留守番電話機能の設定変更を行うのに必要な暗証番号が読み出され、当該暗証番号がＤＴＭＦ信号として自動発信される。なお、このような暗証番号が親機に設定されていないときには、 このステップＴ８における暗証番号の送信が不要であることは言うまでもない。
【００８８】
次に、ステップＴ９において、基地局制御センタ２は、親機の留守番電話機能の設定の変更を指示する制御信号を送信する。すなわち、ステップＴ９において、基地局制御センタ２に接続されたメモリ３から留守録制御データが読み出され、当該留守録制御データがＤＴＭＦ信号として自動発信される。
【００８９】
このステップＴ９において、基地局制御センタ２は、例えば、親機の留守番電話機能による自動応答メッセージが移動局の使用状態に応じた適切なものとなるように、親機の自動応答メッセージを変更するように指示する制御信号を送信する。具体的には、例えば、移動局が公衆モードで使用不可能となったので、予め設定されていた「ただいま留守にしております。お急ぎの方は、携帯電話番号×××−×××−××××におかけ下さい。お急ぎでない方は、この留守番電話にメッセージをお入れ下さい。」という自動応答メッセージを、「ただいま留守にしております。御用件、御名前、御電話番号をお入れ下さい。」という自動応答メッセージに切り換えるように指示する制御信号を送信する。
【００９０】
或いは、このステップＴ９において、基地局制御センタ２は、例えば、親機にメッセージが録音されても当該メッセージを移動局へ転送しないように、親機の留守番電話機能の設定変更を指示する制御信号を送信する。これにより、親機の留守番電話機能の設定が変更され、その結果、親機に他者からのメッセージが録音されても、親機から移動局に自動的に電話がかけられるようなことがなくなる。
【００９１】
なお、親機の留守番電話機能が、外部からかかってきた電話そのものを移動局に転送するように設定されているときには、このステップＴ９において、外部からかかってきた電話そのものを移動局に直接転送することをやめるように親機の留守番電話機能の設定変更を指示する制御信号を送信するようにしてもよい。
【００９２】
そして、以上のように親機の留守番電話機能の設定の変更がなされたら、ステップＴ１０に進む。ステップＴ１０において、基地局制御センタ２は、親機への電話を切り、次に、ステップＴ１１において、基地局制御センタ２は、基地局５を介して移動局を呼び出し、基地局５と移動局との間でリンクを確立する。そして、リンクが確立したら、ステップＴ１２において、基地局制御センタ２は、移動局の表示部２４の表示を制御する制御信号を、基地局５を介して移動局に送信する。ここで、この制御信号は、変更された親機の留守番電話機能の設定状態を、移動局の表示部２４に表示するように指示するものである。これにより、ステップＴ１３において、移動局の表示部２４に、親機の留守番電話機能の設定状態を示すメッセージが表示される。
【００９３】
具体的には、親機の自動応答メッセージを移動局の電話番号を知らせないように変更したときには、ステップＴ１３において、移動局の表示部２４に、移動局の電話番号を案内中でないことを知らせるメッセージを表示する。なお、これは、移動局の電話番号を案内中であることを知らせるメッセージを消去することにより、移動局の電話番号を案内中でないことを知らせるようにしてもよい。
【００９４】
また、親機の留守番電話機能の設定を、親機にメッセージが録音されても当該メッセージを移動局へ転送しないように変更したときには、ステップＴ１３において、移動局の表示部２４に、親機にメッセージが録音されても当該メッセージを移動局へ転送しないようになっていることを知らせるメッセージを表示する。なお、これは、親機にメッセージが録音されたら当該メッセージを移動局へ転送するようになっていることを知らせるメッセージを消去することにより、親機にメッセージが録音されても当該メッセージを移動局へ転送しないようになっていることを知らせるようにしてもよい。
【００９５】
一方、上述したように、ステップＴ７において親機の留守番電話機能が応答しなかったときは、図６のステップＴ１４に進む。
【００９６】
ステップＴ１４において、基地局制御センタ２は、パラメータｎが０であるかを判断する。そして、パラメータｎが０ならば、ステップＴ１５に進み、このステップＴ１５において、パラメータｎに１を設定し、その後、ステップＴ２２に進む。
【００９７】
一方、ステップＴ１４において、パラメータｎが０でないならば、ステップＴ１６に進み、このステップＴ１６において、基地局制御センタ２は、パラメータｎに１を加算し、次に、ステップＴ１７において、基地局制御センタ２は、パラメータｎが所定の値に達しているかを判断する。そして、パラメータｎが所定の値に達しているならば、ステップＴ１８に進み、パラメータｎが所定の値に達していないならば、ステップＴ２０に進む。ここで、所定の値は、親機に電話をかけ直す回数を示しており、例えば、５程度に設定しておく。
【００９８】
ステップＴ１８において、基地局制御センタ２は、パラメータｎに０を設定し、次に、ステップＴ１９において、基地局制御センタ２は、基地局５を介して移動局を呼び出し、基地局５と移動局との間でリンクを確立する。そして、リンクが確立したら、ステップＴ２０において、基地局制御センタ２は、移動局の表示部２４の表示を制御する制御信号を、基地局５を介して移動局に送信する。ここで、この制御信号は、親機の留守番電話機能の設定変更に失敗したことを知らせるメッセージを、移動局の表示部２４に表示するように指示するものである。これにより、ステップＴ２１において、移動局の表示部２４に、親機の留守番電話機能の設定変更に失敗したことを知らせるメッセージが表示される。そして、このときは、親機の留守番電話機能の設定変更がなされないまま、ここで処理を終了する。
【００９９】
一方、ステップＴ２２において、基地局制御センタ２は、所定の時間を測定するタイマーを起動し、次に、ステップＴ２３において、基地局制御センタ２は、所定の時間が経過したかを繰り返し判断する。ここで、所定の時間は、改めて親機に電話をかけるまでの時間のことであり、例えば、３分程度に設定しておく。そして、所定の時間が経過し、タイムアウトしたならば、図５のステップＴ６に戻って、上述の処理を再度試みる。
【０１００】
以上のようなステップにより、移動局の位置登録の解除に伴って、親機の留守番電話機能の設定状態が変更される。
【０１０１】
なお、本発明は、具体的には、日本において実用化されている簡易型携帯電話であるパーソナル・ハンディホン・システム（ＰＨＳ）に適用することができる。ＰＨＳにおける制御チャネルの制御スロットのビット構成の例を、図７に示す。この図７に示すように、ＰＨＳにおける制御スロットのビット構成は、例えば、４ビットの過渡応答用ランプタイムＲと、２ビットのスタートシンボルＳＳと、６２ビットのビット同期用プリアンブルＰＲと、３２ビットの同期ワードＵＷと、４ビットのチャネル識別信号ＣＩと、４２ビットの発識別符号Ｈ１と、２８ビットの着識別符号Ｈ２と、３４ビットの制御データＩと、１６ビットの冗長度符号チェックデータＣＲＣと、１６ビットのガードビットＧＢとの合計２４０ビットからなり、６２５μｓの長さを有している。そして、ＰＨＳ対応の移動局を基地局に対して位置登録するとき、位置登録を行うためのデータは、この制御スロットの制御データＩの部分に乗せられて送出される。
【０１０２】
また、本発明は、ヨーロッパにおいて実用化されている簡易型携帯電話であるコードレステレホン２（ＣＴ−２）に適用することもできる。ＣＴ−２における制御チャネルの制御スロットのビット構成の例を、図８に示す。この図８に示すように、ＣＴ−２における制御スロットのビット構成は、例えば、１６ビットの制御データＤ１と、１０ビットのビット同期用プリアンブルＰと、２４ビットのフレーム同期用信号ＣＨＭと、１６ビットの制御データＤ２との合計６６ビットからなる。そして、ＣＴ−２対応の移動局を基地局に対して位置登録するとき、位置登録を行うためのデータは、１６ビットずつに分割された上で、この制御スロットの制御データＤ１，Ｄ２の部分に乗せられて送出される。
【０１０３】
なお、本発明は、上述のようなＰＨＳやＣＴ−２以外であっても、公衆モードで使用するときに移動通信端末の位置登録を行うようなシステムであれば、広く適用可能であることは言うまでもない。
【０１０４】
【発明の効果】
以上の説明から明らかなように、本発明によれば、移動通信端末の位置登録がなされたときや位置登録の解除がなされたときのように、移動通信端末の使用状態が変更されたときに、移動通信端末の利用者が自ら意識して親機となる電話機の留守番電話機能の設定を変更しなくても、親機となる電話機の留守番電話機能の設定が自動的に変更される。
【０１０５】
具体的には、移動通信端末の使用状態が変更されたときに、親機となる電話機の自動応答メッセージを変更するようにすることにより、親機となる電話機の自動応答メッセージを、移動通信端末の使用状態に応じた適切なものとすることができる。すなわち、例えば、移動通信端末が公衆モードで使用可能となっているときには、自動応答メッセージによって端末側電話番号を知らせるようにすることにより、親機となる電話機に電話をかけてきた人に対して、公衆モードで使用可能となっている移動通信端末の電話番号である端末側電話番号を知らせることが可能となる。
【０１０６】
また、移動通信端末が公衆モードで使用可能となっているときに、親機となる電話機にメッセージが録音されたら、当該メッセージを移動通信端末へ転送するようにすることにより、電話機に残されたメッセージを移動通信端末の利用者がすみやかに受け取ることが可能となる。
【０１０７】
そして、本発明では、以上のような留守番電話機能の設定の変更が自動的になされるので、留守番電話機能の設定変更時の操作ミスによって誤動作等が生じるようなことがなく、短時間にて確実に、親機となる電話機の留守番電話機能の設定変更がなされる。したがって、本発明によれば、親機となる電話機の留守番電話機能の設定の変更等に関わる利用者の負担を大幅に軽減することが可能となる。
【図面の簡単な説明】
【図１】本発明を適用した通信制御装置の一構成例を示すブロック図である。
【図２】本発明を適用した通信制御装置に対応した移動局の一構成例を示すブロック図である。
【図３】移動局の位置登録を行ったときの動作の一例を示すフローチャートである。
【図４】移動局の位置登録を行ったときの動作の一例を示すフローチャートである。
【図５】移動局の位置登録を解除したときの動作の一例を示すフローチャートである。
【図６】移動局の位置登録を解除したときの動作の一例を示すフローチャートである。
【図７】ＰＨＳにおける制御スロットのビット構成の一例を示す図である。
【図８】ＣＴ−２における制御スロットのビット構成の一例を示す図である。
【符号の説明】
１  通信制御装置、  ２  基地局制御センタ、  ３  メモリ、  ４  ＩＳＤＮインターフェース制御装置、  ５  基地局、  ６  基地局ブロック、  ７  制御部、  ８  メモリ、  ９  ＡＤＰＣＭ符号化部、  １０  ＡＤＰＣＭ復号部、  １１  プロトコル処理部、  １２  ＲＦユニット、  １３  アンテナ
【図１】
0003648830.tif 000002
【図２】
0003648830.tif 000003
【図３】
0003648830.tif 000004
【図４】
0003648830.tif 000005
【図５】
0003648830.tif 000006
【図６】
0003648830.tif 000007
【図７】
0003648830.tif 000008
【図８】
0003648830.tif 000009